(57)【要約】【課題】建て枠を利用して組み立てられた枠組み足場の安全性を高めるための安全桟を容易に取り付けることができる金具を提供する。【解決手段】パイプクランプ２３と部材取付け用ピン２４とから成り、パイプクランプ２３は、ベース部材２５と押え部材２６とを、この両者間でパイプ材を挟むことができるように支軸２７により相対的に開閉自在に連結すると共に、両部材２５，２６の遊端部間に締結用ボルトナット２８を掛け外し自在に介装して構成され、部材取付け用ピン２４は、先端に抜け止め具７が取り付けられたピン本体６と、このピン本体６と前記パイプクランプ２３のベース部材２５との間に介装され且つ前記ピン本体６と同一径の延長用スリーブ２９とから成るもので、前記パイプクランプ２３のベース部材２５の内側から延長用スリーブ２９内を貫通して前記ピン本体６に内嵌するボルト３０によって取り付けられた構成。【選択図】図３
2010248795.tif 000002
【特許請求の範囲】
【請求項１】
パイプクランプと部材取付け用ピンとから成り、パイプクランプは、ベース部材と押え部材とを、この両者間でパイプ材を挟むことができるように支軸により相対的に開閉自在に連結すると共に、両部材の遊端部間に締結用ボルトナットを掛け外し自在に介装して構成され、部材取付け用ピンは、先端に抜け止め具が取り付けられたピン本体と、このピン本体と前記パイプクランプのベース部材との間に介装され且つ前記ピン本体と同一径の延長用スリーブとから成るもので、前記パイプクランプのベース部材の内側から延長用スリーブ内を貫通して前記ピン本体に内嵌するボルトによって取り付けられている、仮設足場用部材取付け金具。
【請求項２】
先端に抜け止め具が取り付けられた前記ピン本体は、仮設足場用建て枠の垂直支柱部から突設されるブレース取付け用ピンと同一のものが転用されている、請求項１に記載の仮設足場用部材取付け金具。
【請求項３】
前記ボルトは、その螺軸部が延長用スリーブ内とピン本体内とに対して圧入されている、請求項１又は２に記載の仮設足場用部材取付け金具。
【請求項４】
前記ピン本体の周壁には、内側のボルトの螺軸部に食い込むカシメ部が形成されている、請求項１〜３の何れか１項に記載の仮設足場用部材取付け金具。
【請求項５】
前記パイプクランプのベース部材に設けられたボルト挿通用貫通孔は、前記部材取付け用ピンのピン本体を貫通させることができる直径であり、前記延長用スリーブには、前記パイプクランプのベース部材に当接する大径のフランジ部が設けられている、請求項１〜４の何れか１項に記載の仮設足場用部材取付け金具。
【請求項６】
前記延長用スリーブには、その大径のフランジ部の内側に、前記ボルト挿通用貫通孔に嵌合する内側突出部が形成されている、請求項５に記載の仮設足場用部材取付け金具。
【請求項７】
前記ボルトの螺軸部の基端には、前記ボルト挿通用貫通孔に嵌合する大径突出段部が形成されている、請求項５に記載の仮設足場用部材取付け金具。
【発明の詳細な説明】
【技術分野】
【０００１】
本発明は、建設現場に仮設される枠組み足場に安全用桟などを取り付けるための仮設足場用部材取付け金具に関するものである。
【背景技術】
【０００２】
建設現場において仮設される枠組み足場は、適当間隔おきに並列配置すると共に所要段数上方向に継ぎ足した門形の建て枠間で水平に足場板を支持させ、水平方向前後に隣り合う建て枠どうしを交叉ブレースで互いに連結して構成される。而して、このように構成された枠組み足場において、前後に隣り合う建て枠間で足場板上に形成される作業者通路の少なくとも外側（建造物のある側とは反対側）には、前記交叉ブレースが配設されているので、当該作業者通路上から外側への作業者の落下事故は前記交叉ブレースによって防止できると考えられていたが、交叉ブレースと足場板との間には、側面視で中央部が高くなる二等辺三角形の空間が形成されており、足場板上で外向きに足を滑らせると、落下事故につながる可能性は大きい。
【発明の概要】
【発明が解決しようとする課題】
【０００３】
上記のような問題点を解消するために、前後に隣り合う建て枠間で足場板に近い高さに落下防止用の安全桟を水平に架設することが考えられたが、従来は、単管で足場などを組み立てる際に使用される汎用パイプクランプにより、前記安全桟として水平に配置した鋼管を各建て枠の垂直支柱部に結合することが試みられていたに過ぎず、簡単に安全桟を架設できる専用の金具は考えられていなかった。
【課題を解決するための手段】
【０００４】
本発明は、上記のような従来の問題点を解消することのできる仮設足場用部材取付け金具を提案するものであって、請求項１に記載の本発明に係る仮設足場用部材取付け金具は、後述する実施形態の参照符号を付して示すと、パイプクランプ２３と部材取付け用ピン２４とから成り、パイプクランプ２３は、ベース部材２５と押え部材２６とを、この両者間でパイプ材を挟むことができるように支軸２７により相対的に開閉自在に連結すると共に、両部材２５，２６の遊端部間に締結用ボルトナット２８を掛け外し自在に介装して構成され、部材取付け用ピン２４は、先端に抜け止め具７又は１１が取り付けられたピン本体６又は１０と、このピン本体６又は１０と前記パイプクランプ２３のベース部材２５との間に介装され且つ前記ピン本体６又は１０と同一径の延長用スリーブ２９とから成るもので、前記パイプクランプ２３のベース部材２５の内側から延長用スリーブ２９内を貫通して前記ピン本体６又は１０に内嵌するボルト３０によって取り付けられた構成になっている。
【０００５】
上記本発明を実施する場合、具体的には請求項２に記載のように、先端に抜け止め具７又は１１が取り付けられた前記ピン本体６又は１０は、仮設足場用建て枠１の垂直支柱部２から突設されるブレース取付け用ピン５ａ，５ｂと同一のものを転用することができる。
【０００６】
又、前記ボルト３０は、ピン本体６又は１０に設けた雌ねじ孔に螺合締結するようにしても良いが、請求項３に記載のように、前記ボルト３０の螺軸部３０ａを延長用スリーブ２９内とピン本体６又は１０内とに対して圧入することができる。又、請求項４に記載のように、前記ピン本体６又は１０の周壁に、内側のボルト３０の螺軸部３０ａに食い込むカシメ部３３を形成して、当該ボルト３０とピン本体６又は１０とを結合することもできる。この構成は特に請求項３に記載の構成と組み合わせて使用するのが望ましい。
【０００７】
又、請求項５に記載のように、前記パイプクランプ２３のベース部材２５に設けられたボルト挿通用貫通孔３２は、前記部材取付け用ピン２４のピン本体６又は１０を貫通させることができる直径とし、前記延長用スリーブ２９には、前記パイプクランプ２３のベース部材２５に当接する大径のフランジ部２９ａを設けることができる。この場合、請求項６に記載のように、前記延長用スリーブ２９の大径のフランジ部２９ａの内側に、前記ボルト挿通用貫通孔３２に嵌合する内側突出部２９ｂを形成するか又は、請求項７に記載のように、前記ボルト３０の螺軸部３０ａの基端に、前記ボルト挿通用貫通孔３２に嵌合する大径突出段部３０ｂを形成することができる。
【発明の効果】
【０００８】
請求項１に記載の本発明の仮設足場用部材取付け金具によれば、建て枠を利用して組み立てられた仮設の枠組み足場において、各建て枠の少なくとも外側（建造物のある側とは反対側）の垂直支柱部の安全桟取付け高さ位置にパイプクランプを、そのベース部材から突出する部材取付け用ピンが前記垂直支柱部から内側に突出する向きで取り付け、隣り合う建て枠間の長さに合わせて製造された安全桟の両端の取付け孔を前記パイプクランプから突出する部材取付け用ピンに嵌合させるだけで、安全桟を所定高さに架設することができる。建て枠の垂直支柱部に対するパイプクランプの取り付けは、締結用ボルトナットを開放した状態でベース部材と押え部材とで垂直支柱部を挟み、この後、締結用ボルトナットを両部材の遊端部間に係合させて締め付けることにより行える。
【０００９】
即ち、建て枠によって支持される足場板に対して少し高いレベルで建て枠の垂直支柱の内側に水平に架設される安全桟により、足場板上で作業者が外向きに足を滑らせても、足場板上からの落下を前記安全桟により防止することができ、所期の安全効果を得ることができるのであるが、本発明の仮設足場用部材取付け金具によれば、当該金具の部材取付け用ピンに丁度外嵌させることができる径の取付け孔を両端に備え且つ長さを隣り合う建て枠間の水平方向の間隔に合わせた安全桟を準備しておくだけで、当該安全桟を、前記建て枠の垂直支柱部の任意の高さ、即ち、パイプクランプを取り付けることができる任意の高さに簡単容易に取り付けることができる。
【００１０】
更に本発明の仮設足場用部材取付け金具によれば、パイプクランプのベース部材から突設する部材取付け用ピンを、先端に抜け止め具を備えたピン本体のみから構成するのではなく、当該ピン本体と前記ベース部材との間に介装される延長用スリーブを組み込んで構成しているので、例えば請求項２に記載のように、建て枠の垂直支柱部から突設されるブレース取付け用ピンと同一のものをパイプクランプのベース部材に固着して構成する場合よりも、抜け止め具の内側の有効長さ領域が前記延長用スリーブの長さ分だけ長い部材取付け用ピンを備えた金具を簡単且つ安価に製造することができるのである。即ち、長尺のパイプ材の先端に抜け止め具を組み込んで、有効長さ領域の長い特殊サイズの部材取付け用ピンを最初から製造するよりも、市場に多く出回っているブレース取付け用ピンをそのままピン本体に転用して延長用スリーブを追加する方が、そのピン本体と延長用スリーブとの接続とピン全体のパイプクランプ（ベース部材）への取付けを１本のボルトで行う構成であることと相まって、有効長さ領域が長い部材取付け用ピンを備えた金具を簡単且つ安価に製造することができるのである。
【００１１】
そして部材取付け用ピンの有効長さ領域が長いことにより、当該部材取付け用ピンに端部が嵌合係止される安全桟の位置を、建て枠の垂直支柱部から内側へ十分に離すことができるので、後述の実施形態で説明するように、建て枠間に張設される交叉ブレースと建て枠間に水平に架設される安全桟とが側面視で重なることになるような高さでなければ安全桟を架設することができないような状況においても、問題なく安全桟を架設することができる。
【００１２】
尚、請求項２に記載の構成によれば、既製品であって大量に流通市場に出回っている、仮設足場用建て枠の垂直支柱部に取り付けられる前のブレース取付け用ピンをそのまま転用して、本発明の仮設足場用部材取付け金具を製造することができるので、非常に安価に本発明を実施することができる。
【００１３】
尚、部材取付け用ピンは、ピン本体に雌ねじ孔を設け、これにボルトの螺軸部を螺合して、ピン本体と延長用スリーブとをパイプクランプのベース部材に取り付けて構成することも可能であるが、請求項３や請求項４に記載の構成によれば、ピン本体に雌ねじ孔を加工する工数が不要になり、安価に本発明金具を製造することができる。特に、請求項３と請求項４に記載の構成を組み合わせて部材取付け用ピンを構成するときは、簡単な工法でありながらパイプクランプのベース部材に対する部材取付け用ピンの取付け強度を十分に高めることができる。
【００１４】
又、建て枠の垂直支柱部に取り付けられる前のブレース取付け用ピンをそのままパイプクランプのベース部材に取り付けて仮設足場用部材取付け金具を製造する場合、ベース部材の表面にピンの端面を当接させた状態で溶接するよりも、ベース部材に設けた貫通孔にピンの端部を嵌合させた状態でベース部材の裏側から溶接する方が、ピンの位置が決まって溶接作業が容易に行えるだけでなく、ピンの取付け強度が高められることと、ベース部材の表面でピンの周囲に溶接ビードが盛り上がらないので当該ピンの有効長さ領域が狭められることがないことなどにより、実用上好ましいので、従来、建て枠の垂直支柱部に取り付けられる前のブレース取付け用ピンをそのまま取り付けることができるパイプクランプとして、ベース部材に前記のような貫通孔が設けられたものが製造されているが、請求項５に記載の構成によれば、本発明において使用される部材取付け用ピンを、建て枠の垂直支柱部に取り付けられる前のブレース取付け用ピンとほぼ同一径に構成しておくだけで、上記のようにベース部材に貫通孔が設けられたパイプクランプをそのまま活用して、本発明の金具を製造することができ、しかもパイプクランプのベース部材に当接するように延長用スリーブに設けられた大径のフランジ部の存在により、部材取付け用ピンの取付け強度を十分に高めることができる。
【００１５】
上記のように、ベース部材に貫通孔が設けられたパイプクランプをそのまま活用して本発明の金具を製造する場合、請求項６や請求項７に記載の構成によれば、当該ベース部材の貫通孔に対するボルトの遊びを実質的に無くして、部材取付け用ピンの取付け位置精度を高めることができる。
【図面の簡単な説明】
【００１６】
【図１】枠組み足場の構成を説明する縦断側面図である。
【図２】Ａ図は建て枠の正面図、Ｂ図及びＣ図は建て枠の垂直支柱部に突設されているブレース取付け用ピンを示す一部縦断側面図である。
【図３】本発明の第一実施例に係る金具の平面図である。
【図４】同正面図である。
【図５】同側面図である。
【図６】図５の要部の拡大一部縦断面図である。
【図７】本発明の第一実施例に係る金具の要部の分解一部縦断側面図である。
【図８】図７の一部分の変形例を示す要部の縦断側面図である。
【図９】ブレース取付け用ピンをそのままパイプクランプに取り付けた例を示す要部の一部縦断側面図である。
【図１０】本発明の第二実施例に係る金具の要部の一部縦断側面図である。
【図１１】本発明金具で安全桟を取り付けた一例を示す要部の正面図である。
【図１２】図１１の側面図である。
【図１３】本発明金具で安全桟を取り付けた他の例を示す要部の正面図である。
【図１４】図１３の縦断側面図である。
【発明を実施するための形態】
【００１７】
図１及び図２に示すように、枠組み足場を組み立てるための門形の建て枠１は、左右一対のパイプ材から成る垂直支柱部２の上端どうしを水平連結材３により連結一体化すると共に、各垂直支柱部２と水平連結材３との入隅側に補強用枠材４を固着して構成されたもので、各垂直支柱部２には、上下両端近傍位置で内向きにブレース取付け用ピン５ａ，５ｂが突設されている。尚、補強用枠材４は、上端が水平連結材３に固着されると共に外向き下端部が各垂直支柱部２に固着されたＬ形部材４ａと、このＬ形部材４ａの垂直部分と各垂直支柱部２との間に上下複数段に架設された水平連結部材４ｂとから成るものであって、一般的には、Ｌ形部材４ａの外向き下端部は、下側のブレース取付け用ピン５ｂより相当距離上方に離れた位置で垂直支柱部２に固着されるが、ものによっては、図２に仮想線で示すように、下側のブレース取付け用ピン５ｂの直下の位置で垂直支柱部２に固着される。
【００１８】
ブレース取付け用ピン５ａ，５ｂは、図２Ｂに示すように、一定長さのパイプ材から成るピン本体６に、その先端から所要長さのスリット６ａを下側周面に形成すると共に、当該スリット６ａに嵌合する抜け止め具７の基部をピン本体６に水平支軸８により、斜めに突出する抜け止め作用姿勢と全体がピン本体６内に入り込む抜け止め解除姿勢との間で上下揺動自在に軸支し、この抜け止め具７を抜け止め作用姿勢に付勢保持するスプリング９を組み込んで成るものが一般的である。しかし、図２Ｃに示すように、無垢材のピン本体１０の先端二股部１０ａに抜け止め具１１を垂直向きに嵌合すると共に、この抜け止め具１１に設けられた長さ方向の長孔１２を横断貫通する水平支軸１３を先端二股部１０ａに架設して、当該抜け止め具１１を、下端部１１ａが重力でピン本体１０から垂下する抜け止め作用姿勢と、上方に引き上げた抜け止め具１１を前方に倒伏させた、ピン本体１０と平行に前方に延長する抜け止め解除姿勢とに切り換え自在に構成されたブレース取付け用ピン５ａ，５ｂが採用された建て枠１もある。
【００１９】
上記のようなブレース取付け用ピン５ａ，５ｂを備えた門形の建て枠１は、水平方向に所定間隔おきに垂直に配置されると共に、各垂直支柱部２どうしを連結用垂直軸杆により同心状に連結することにより所要段数だけ上方に接続し、水平方向に隣り合う各建て枠１の水平連結材３間には足場板１４を、当該足場板１４の両端に突設されたフック部材１５を水平連結材３に上から嵌合させる方法で架設し、水平方向に隣り合う各建て枠１の左右同一側にある垂直支柱部２どうしはブレース１６ａ，１６ｂによって互いに連結される。
【００２０】
ブレース１６ａ，１６ｂは、パイプ材の両端を片側に寄せるように偏平状に押しつぶして偏平端部１７とし、この偏平端部１７に、前記ブレース取付け用ピン５ａ，５ｂの外径より若干大径の取付け孔１８を設けたものであって、両ブレース１６ａ，１６ｂの一端側の取付け孔１８を、両建て枠１における垂直支柱部２の下側のブレース取付け用ピン５ｂに内側から嵌合すると共に、両ブレース１６ａ，１６ｂの他端側の取付け孔１８を、両建て枠１における垂直支柱部２の上側のブレース取付け用ピン５ａに内側から嵌合することにより、水平方向に隣り合う両建て枠１の左右同一側にある垂直支柱部２間で交叉状に架設される。而して、これら交叉ブレース１６ａ，１６ｂの偏平端部１７がブレース取付け用ピン５ａ，５ｂから外れることは、各ブレース取付け用ピン５ａ，５ｂが備える抜け止め作用姿勢の抜け止め具７（又は抜け止め具１１）によって阻止されており、枠組み足場を解体するためにブレース１６ａ，１６ｂを建て枠１から取り外すときは、各ブレース取付け用ピン５ａ，５ｂの抜け止め具７（又は抜け止め具１１）を人手により抜け止め解除姿勢に切り換えた状態で、各ブレース１６ａ，１６ｂの偏平端部１７をブレース取付け用ピン５ａ，５ｂから抜き取れば良い。
【００２１】
以上のようにして枠組み足場を、建て枠１と足場板１４、及び交叉ブレース１６ａ，１６ｂにより組み立てるのであるが、枠組み足場が建造物に隣接して配設されるときは、交叉ブレース１６ａ，１６ｂは、各建て枠１の左右両垂直支柱部２の内、前記建造物に隣接しない外側の垂直支柱部２間にのみ張設しても良い。何れにしても、以上のようにして枠組み足場を組み立てるに際して、足場板１４上に形成される作業者通路の少なくとも交叉ブレース１６ａ，１６ｂが張設される側には、前後に隣り合う建て枠１の垂直支柱部２間に、比較的低いレベル、例えば足場板１４の上方１５０ｍｍ〜４００ｍｍ程度の高さで、安全桟１９が架設される。この安全桟１９は、ブレース１６ａ，１６ｂと同一構造のもので、長さのみ、前後に隣り合う建て枠１の垂直支柱部２間の間隔に合わせて短くしたものであり、両端の偏平端部２０に取付け孔２１が設けられている。
【００２２】
従って、図２Ｂに示すブレース取付け用ピン５ａ，５ｂの内、少なくとも下側のピン５ｂの抜け止め具７（又は抜け止め具１１）から内側の有効長さ領域Ｄが十分に長く構成されているときは、図１に仮想線で示すように、各建て枠１における垂直支柱部２の下側のブレース取付け用ピン５ｂに、当該建て枠１の前後両側に張設されるブレース１６ａ，１６ｂの偏平端部１７と、当該建て枠１の前後両側に張設される安全桟１９の偏平端部２０の、合計４つの偏平端部を重ねて嵌合係止させることができる。しかしながら現実には、従来周知の建て枠１に採用されているブレース取付け用ピン５ａ，５ｂの有効長さ領域Ｄは、２本のブレース１６ａ，１６ｂの取り付けのみを考慮して設定されていて余分な長さを持つものではないので、図１に実線で示すように、下側のブレース取付け用ピン５ｂから上下方向に離れた位置で建て枠１の垂直支柱部２に安全桟１９を取り付けるために、以下に説明する本発明の仮設足場用部材取付け金具が使用される。
【００２３】
図３〜図７に示す本発明の第一実施例に係る部材取付け金具２２は、パイプクランプ２３と部材取付け用ピン２４とから構成されている。パイプクランプ２３は従来周知のものであって、ベース部材２５、押え部材２６、支軸２７、及び締結用ボルトナット２８から構成されている。ベース部材２５は、押え部材２６のある側が開放した断面溝形のもので、直線状の基部２５ａと、この基部２５ａの一端から斜めに延出する側部２５ｂとから成る。押え部材２６は、ベース部材２５のある側が開放した断面溝形の円弧形のもので、その一端部が前記ベース部材２５の側部２５ｂの先端に前記支軸２７により開閉自在に軸支連結され、他端には二股状ボルトナット受け部２６ａが連設されている。ベース部材２５と押え部材２６の互いに対面する側の内側縁は、取付け対象のパイプ（本実施例の場合、建て枠１の垂直支柱部２）を抱持できる円弧形に形成されている。
【００２４】
締結用ボルトナット２８は、ベース部材２５の基部２５ａの他端（側部２５ｂが連設されていない側の端部）に、前記支軸２７と平行なピン２８ａで端部が揺動自在に軸支されたボルト２８ｂと、このボルト２８ｂに螺嵌し且つ前記押え部材２６の二股状ボルトナット受け部２６ａに嵌合支持されるナット２８ｃとで構成され、このナット２８ｃを緩めてボルト２８ｂを外側へ揺動させることにより、ベース部材２５と押え部材２６とを支軸２７の周りに開動させることができ、逆に、ボルト２８ｂを内側へ揺動させて押え部材２６の二股状ボルトナット受け部２６ａ内に嵌入させた状態でナット２８ｃを締め付け、当該ナット２８ｃを二股状ボルトナット受け部２６ａに嵌合させて、更にナット２８ｃを締め付けることにより、ベース部材２５と押え部材２６とを支軸２７の周りに閉動させることができる。
【００２５】
部材取付け用ピン２４は、ブレース取付け用ピン５ａ，５ｂと同一構造のピン本体６、即ち、先端に抜け止め具７が水平支軸８で軸支されると共に当該抜け止め具７を抜け止め作用姿勢に付勢保持するスプリング９から構成されているピン本体６と、このピン本体６と同一径で一端に大径のフランジ部２９ａが連設された延長用スリーブ２９、及び取付け用ボルト３０から構成されている。
【００２６】
パイプクランプ２３のベース部材２５における基部２５ａには、その溝形断面の底板部３１に、前記ピン本体６を丁度挿通させることができる内径の貫通孔３２が設けられており、ピン本体６とベース部材２５の底板部３１との間に延長用スリーブ２９が、そのフランジ部２９ａが底板部３１に当接する向きで介在する状態で、ベース部材２５の内側から取付け用ボルト３０の螺軸部３０ａが、貫通孔３２を経由して延長用スリーブ２９内とピン本体６内とに圧入され、更にピン本体６の周壁に、例えば１つ又は複数のポンチＰにより中心に向かって打圧するなどの方法で形成したカシメ部３３を取付け用ボルト３０の螺軸部３０ａに食い込ませることにより、ピン本体６が延長用スリーブ２９と取付け用ボルト３０を介してパイプクランプ２３のベース部材２５に、その基部２５ａから直角外向きに突出するように固着されている。
【００２７】
尚、ピン本体６内に対する取付け用ボルト３０の螺軸部３０ａの圧入だけで十分な取付け強度が得られるならば、カシメ部３３の形成は省くことができる。逆に、取付け用ボルト３０の螺軸部３０ａの外径を延長用スリーブ２９とピン本体６に対して圧入効果のない程度に小さくし、カシメ部３３の形成のみでピン本体６を取り付けるようにしても良い。更に、上記実施例では、ベース部材２５の底板部３１に設けられた貫通孔３２は、延長用スリーブ２９及びピン本体６の外径より少し大きいので、この貫通孔３２を挿通するボルト３０の螺軸部３０ａと当該貫通孔３２との間には相当の遊びが生じる。この遊びの範囲内で部材取付け用ピン２４の位置が変動する可能性があるので、部材取付け用ピン２４を位置決めするために、図８に示すように、延長用スリーブ２９のフランジ部２９ａより内側に、前記貫通孔３２内に丁度嵌合する外径の内側突出部２９ｂを同心状に突設するか又は、図８に仮想線で示すように、取付け用ボルト３０の螺軸部３０ａの基端には、前記貫通孔３２に丁度嵌合する大径突出段部３０ｂを同心状に形成することができる。尚、当然のことであるが、これら内側突出部２９ｂや大径突出段部３０ｂの軸方向の厚さは、貫通孔３２の深さ（底板部３１の厚さ）より厚くならないように構成される。
【００２８】
尚、部材取付け用ピン２４が取り付けられる前のパイプクランプ２３には、そのベース部材２５における基部２５ａの底板部３１に設けられた貫通孔３２が前記ピン本体６を丁度挿通させることができる内径のものであるから、図９に示すように、建て枠１の垂直支柱部２に取り付けられる前のブレース取付け用ピン５ａ，５ｂ、即ち、ピン本体６を、その基部を貫通孔３２に挿通させて底板部３１の裏側から溶接する方法により、直接ベース部材２５における基部２５ａの外側に固着突設することができる。
【００２９】
勿論、図１０に示すように、パイプクランプ２３のベース部材２５における基部２５ａの底板部３１に設けられる貫通孔３２は、前記取付け用ボルト３０の螺軸部３０ａが丁度挿通させることができる程度の内径の、部材取付け用ピン２４の取付け専用とすることも可能である。この場合、図示のように延長用スリーブ２９には大径のフランジ部２９ａを設けなくとも良いが、部材取付け用ピン２４の取付け強度を高めるためには、延長用スリーブ２９に大径のフランジ部２９ａを設けるのが望ましい。
【００３０】
上記構成の部材取付け金具（以下、金具という）２２の使用方法を説明すると、図１１及び図１２に示すように、各建て枠１の垂直支柱部２の安全桟取付け高さ位置に、パイプクランプ２３を、部材取付け用ピン２４が当該垂直支柱部２の内側（足場板１４のある側）に向いて突出するように取り付ける。即ち、ベース部材２５と押え部材２６との間で垂直支柱部２を挟み付け、締結用ボルトナット２８のボルト２８ｂを閉じて押え部材２６の二股状ボルトナット受け部２６ａに嵌合させた状態でナット２８ｃを締め付けることにより、パイプクランプ２３を垂直支柱部２の所定高さに固定する。そして隣り合う建て枠１の垂直支柱部２に取り付けられた金具２２の部材取付け用ピン２４に、安全桟１９の偏平端部２０における取付け孔２１を、抜け止め具７を弾性に抗して抜け止め解除姿勢に切り換えながら嵌合させる。この方法により、前後に隣り合う建て枠１の垂直支柱部２間に水平に安全桟１９を架設することができる。このとき、垂直支柱部２の両側に安全桟１９が架設される建て枠１においては、その垂直支柱部２に取り付けられた１つの金具２２の部材取付け用ピン２４に、両側の２本の安全桟１９の偏平端部２０が互いに重なった状態で嵌合して取り付けられる。
【００３１】
尚、図２に仮想線で示すように、補強用枠材４を構成するＬ形部材４ａの外向き下端部が下側のブレース取付け用ピン５ｂの直下の位置で垂直支柱部２に固着されているため、金具２２を、下側のブレース取付け用ピン５ｂの下側で垂直支柱部２に取り付けることができない場合には、図１３及び図１４に示すように、下側のブレース取付け用ピン５ｂの上側で金具２２を垂直支柱部２に取り付けることになる。この場合、側面視において、交叉ブレース１６ａ，１６ｂの下端部と安全桟１９の端部とが互いに重なり合うことになるが、金具２２が備える部材取付け用ピン２４の抜け止め具７より内側の有効長さ領域が、下側のブレース取付け用ピン５ｂ（ピン本体６）の有効長さ領域より延長用スリーブ２９の長さ分だけ長いことと、部材取付け用ピン２４の取付け面（パイプクランプ２３のベース部材２５における底板部３１の外側面）が垂直支柱部２の周面より大きく張り出していることにより、下側のブレース取付け用ピン５ｂに偏平端部１７が取り付けられたブレース１６ａ，１６ｂの外側において、安全桟１９の偏平端部２０を金具２２の部材取付け用ピン２４に、前記ブレース１６ａ，１６ｂに邪魔されることなく取り付けることができる。
【００３２】
尚、本発明の仮設足場用部材取付け金具は、建て枠１ではなく、鋼管（単管）と」パイプクランプとを利用して組み立てられる仮設足場に、ブレース１６ａ，１６ｂや安全桟１９を取り付ける金具としても利用可能なものである。又、パイプクランプ２３に取り付ける部材取付け用ピン２４のピン本体として、図２Ｂに示すようにスプリング９で抜け止め作用姿勢に付勢保持される抜け止め具７を備えたピン本体６を使用したが、図２Ｃに示すように、重力で抜け止め作用姿勢に付勢保持される抜け止め具１１を備えたピン本体１０を使用して部材取付け用ピン２４を構成することもできる。
【産業上の利用可能性】
【００３３】
本発明の仮設足場用部材取付け金具は、建て枠を利用して組み立てられた枠組み足場の安全性を高めるための安全桟を当該建て枠に取り付ける金具として活用できる。
【符号の説明】
【００３４】
１    建て枠
２    建て枠の垂直支柱部
３    建て枠の水平連結材
４    建て枠の補強用枠材
５ａ，５ｂ    建て枠のブレース取付け用ピン
６，１０    ピン本体
７，１１    抜け止め具
１４    足場板
１５    足場板のフック部材
１６ａ，１６ｂ    ブレース
１７，２０    偏平端部
１８，２１    取付け孔
１９    安全桟
２２    部材取付け金具
２３    パイプクランプ
２４    部材取付け用ピン
２５    ベース部材
２６    押え部材
２７    支軸
２８    締結用ボルトナット
２９    延長用スリーブ
２９ａ    フランジ部
２９ｂ    内側突出部
３０    取付け用ボルト
３０ａ    螺軸部
３０ｂ    大径突出段部
３２    ボルト挿通用貫通孔
３３    カシメ部
【図１】
2010248795.tif 000003
【図２】
2010248795.tif 000004
【図３】
2010248795.tif 000005
【図４】
2010248795.tif 000006
【図５】
2010248795.tif 000007
【図６】
2010248795.tif 000008
【図７】
2010248795.tif 000009
【図８】
2010248795.tif 000010
【図９】
2010248795.tif 000011
【図１０】
2010248795.tif 000012
【図１１】
2010248795.tif 000013
【図１２】
2010248795.tif 000014
【図１３】
2010248795.tif 000015
【図１４】
2010248795.tif 000016